(57)【特許請求の範囲】
【請求項１】
回転中心部に光学レンズを備え小径円盤形状部とその周囲に大径円盤形状部とを有した略円盤形状の筐体の、前記大径円盤形状部に対し着脱可能で、前記大径円盤形状部の円周方向に沿って設けられる第１のガイド部と噛み合って前記大径円盤形状部に装着状態で円周方向の回転をガイドされる第２のガイド部を有するカバー部材であって、
前記第２のガイド部に、前記大径円盤形状部に対する着脱位置で前記第１のガイド部との噛み合いを解除するための切り欠き部と、
前記筐体との相対的な回転位置を表すための目印部と、
当該カバー部材が前記筐体に装着された状態で前記筐体を三脚に取り付けるための部材と、
前記大径円盤形状部に対し前記着脱位置から回転させて第１の回転角度位置に規制するための第１の固定部と、
前記大径円盤形状部に対し前記第１の回転角度位置から回転させて第２の回転角度位置に規制するための第２の固定部と、
を設けたことを特徴とするカバー部材。
【請求項２】
前記第１または第２の固定部は、前記筐体に設けられた突出可能な棒状部材が挿入可能な穴であることを特徴とする請求項１に記載のカバー部材。
【請求項３】
前記取り付けるための部材は、折り畳み可能であることを特徴とする請求項１又は２に記載のカバー部材。
【発明の詳細な説明】
【技術分野】
【０００１】
本発明は、カバー部材に関する。
【背景技術】
【０００２】
例えばカメラなどの撮影装置においては、安定した画角で撮影するための補助的な器材が従来から用意されていた。
例えば特許文献１に三脚座が開示されるが、このような器材をレンズ外周部に装着することで、カメラの安定した設置を実現させることができる。
【先行技術文献】
【特許文献】
【０００３】
【特許文献１】特開平１１−３３７８００号公報
【発明の概要】
【発明が解決しようとする課題】
【０００４】
しかしながら、特許文献１のような三脚座は、装着及びその解除が煩わしくなるケースが考えられる。
【０００５】
本発明の課題は、筐体とそのカバー部材において、その確実な装着と容易な着脱とを両立させることである。
【課題を解決するための手段】
【０００６】
以上の課題を解決するため、本発明は、
回転中心部に光学レンズを備え小径円盤形状部とその周囲に大径円盤形状部とを有した略円盤形状の筐体の、前記大径円盤形状部に対し着脱可能で、前記大径円盤形状部の円周方向に沿って設けられる第１のガイド部と噛み合って前記大径円盤形状部に装着状態で円周方向の回転をガイドされる第２のガイド部を有するカバー部材であって、
前記第２のガイド部に、前記大径円盤形状部に対する着脱位置で前記第１のガイド部との噛み合いを解除するための切り欠き部と、
前記筐体との相対的な回転位置を表すための目印部と、
当該カバー部材が前記筐体に装着された状態で前記筐体を三脚に取り付けるための部材と、
前記大径円盤形状部に対し前記着脱位置から回転させて第１の回転角度位置に規制するための第１の固定部と、
前記大径円盤形状部に対し前記第１の回転角度位置から回転させて第２の回転角度位置に規制するための第２の固定部と、
を設けたことを特徴とする。
【発明の効果】
【０００７】
本発明によれば、筐体とそのカバー部材の確実な装着と容易な着脱とを両立させることができる。
【図面の簡単な説明】
【０００８】
【図１】本発明を適用した筐体とカバー部材の一実施形態の構成を示すもので、カメラ筐体とそのカバー部材であるアタッチメントの分解斜視図である。
【図２】図１のカメラ筐体にアタッチメントを装着した状態を示す図である。
【図３】図１のカメラ筐体の一部を拡大したもので、ロックピン突出状態の図（ａ）と、ロックピン没入状態の図（ｂ）である。
【図４】図２のカメラ筐体にアタッチメント装着状態の平面図で、第１の回転角度位置の状態を示す図（ａ）と、その第１の回転角度位置から右へ回転させる時を示す図（ｂ）と、さらに第２の回転角度位置の状態を示す図（ｃ）と、第１の回転角度位置から左へ回転させた着脱位置の状態を示す図（ｄ）である。
【図５】図２のカメラ筐体にアタッチメント装着状態の中央縦断面図である。
【図６】図１のカメラ筐体の上筐体を示す平面図（ａ）、上面図（ｂ）、下面図（ｃ）、及び両側面図（ｄ）（ｅ）である。
【図７】図１のアタッチメントの本体を示す平面図（ａ）、上面図（ｂ）、下面図（ｃ）、及び両側面図（ｄ）（ｅ）である。
【図８】図７のアタッチメントの本体の底面図である。
【図９】変形例のアタッチメント本体を示す底面図である。
【発明を実施するための形態】
【０００９】
以下、図を参照して本発明を実施するための形態を詳細に説明する。
（実施形態）
図１及び図２は本発明を適用した筐体とカバー部材の一実施形態の構成としてカメラ筐体１とそのカバー部材であるスタンド付きアタッチメント２（以下、単にアタッチメントと呼ぶ）を示すもので、図示のとおり、カメラ筐体１とアタッチメント２が合体・分離する構成となる。
【００１０】
カメラ筐体１は、略円盤形状で、図示では、略下半部を大径円盤状部１０、略上半部を小径円盤状部１１として、小径円盤状部１１の中心部に撮影レンズ１２を備え、完全防水構造となっている。
【００１１】
そして、小径円盤状部１１の外周には、その円周方向に沿ってガイド爪１３が断続的に一体に形成されて、その間に切り欠き部１４が断続的に形成されている。
また、小径円盤状部１１の上面には、周囲に回転目印１５と、マイク孔１６及びＬＥＤ１７等が設けられて、撮影レンズ１２を囲むプロテクタ１８が回転可能で着脱可能に取り付けられている。プロテクタ１８は撮像時にケラレ発生しない程度の高さと傾斜で設計されており、このプロテクタ１８自身は回動により着脱可能で、オプションとしてレンズフィルタ付きの別のプロテクタが着脱可能となっている。
【００１２】
さらに、大径円盤状部１０には、上面に突出可能なロックピン１９が組み込まれている。
このロックピン１９は、ガイド爪１３より外周側に配置されていて、大径円盤状部１０の外周面に組み込まれたバネにより常時突出方向に付勢されている。
そして、ロックピン１９は、図３（ａ）から（ｂ）に示すように、大径円盤状部１０の外周面に組み込まれたロックレバー１９ａの押し下げ操作に連動して、バネの付勢に抗して大径円盤状部１０の上面の穴内に没入状態となる。
【００１３】
なお、大径円盤状部１０の外周面に各種操作部が設けられている。
【００１４】
アタッチメント２は、スタンドをなす金属板２０にアタッチメント本体２１をヒンジ結合部２２で折り畳み可能に一体化したもので、アタッチメント本体２１が、カメラ筐体１の小径円盤状部１１を囲んで大径円盤状部１０上に重ねられる略円環板形状となっている。
【００１５】
なお、金属板２０には、図示しない三脚に取り付けるための取付穴２０ａが形成されている。
また、ヒンジ結合部２２の一端には、首からぶら下げるための紐を通す紐通しリング２２ａが設けられている。
【００１６】
そして、略円環板形状のアタッチメント本体２１の下部内周には、その円周方向に沿ってガイド爪２３が断続的に一体に形成されて、その間に切り欠き部２４が断続的に形成されている。
この円周方向に沿って断続的に設けたガイド爪２３が、カメラ筐体１の円周方向に沿って断続的に設けた切り欠き部１４を通過して、その間のガイド爪１３の下に重なって噛み合わされると同時に、図５に示すように、ガイド爪１３の上に上部内周が重なってアタッチメント本体２１が回転可能となる。
【００１７】
こうして、カメラ筐体１の大径円盤状部１０の上にアタッチメント本体２１が重ねられて回転するため、大径円盤状部１０の外周面に設けられる各種操作部の操作には影響を与えないものとなっている。
【００１８】
また、アタッチメント本体２１の上面には、着脱位置目印２５と、第１の回転角度位置目印２６と、第２の回転角度位置目印２７が設けられている。
実施形態において、着脱位置目印２５と第１の回転角度位置目印２６との中心角が１５度で、第１の回転角度位置目印２６と第２の回転角度位置目印２７との中心角が９０度に設計されている。
【００１９】
図４はカメラ筐体１にアタッチメント２を装着した状態の平面図である。
【００２０】
先ず、図４（ａ）はカメラ筐体１の位置目印１５をアタッチメント本体２１の第１の回転角度位置目印２６に合わせた状態を示している。
次に、図４（ｂ）はその第１の回転角度位置から右へ９０度回転させる途中の、角度α１度回転させた時を示し、更にα２度（=９０度）回転させた結果、図４（ｃ）に示すように、位置目印１５が第２の回転角度位置目印２７に一致した状態となる。
また、図４（ｄ）は第１の回転角度位置から左へβ度（＝１５度）回転させて位置目印１５が着脱位置目印２５に一致した状態を示している。
【００２１】
図６（ａ）〜（ｅ）はカメラ筐体１の上筐体１Ａを示すものである。
カメラ筐体１の上筐体１Ａは、小径円盤状部１１を形成して、大径円盤状部１０の上面に重なるフランジ１Ｆを有している。
【００２２】
この上筐体１Ａの小径円盤状部１１を形成する外周面に、図６（ａ）に示すように、形状を異にする六個のガイド爪１３ａ・１３ｂ・１３ｃ・１３ｄ・１３ｅ・１３ｆが断続的に形成されて、その間に形状を異にする六個の切り欠き部１４ａ・１４ｂ・１４ｃ・１４ｄ・１４ｅ・１４ｆが断続的に形成されている。
また、回転によりアタッチメント本体２１のロックピン挿入穴２８、ロックピン挿入穴２９と一致する位置に、ロックピン１９を、設けるための穴１９１が開いている。
【００２３】
ここで、六個のガイド爪１３ａ・１３ｂ・１３ｃ・１３ｄ・１３ｅ・１３ｆは、線対称形状でも点対称形状でもなく、全て異なる形状である。
また、その間の六個の切り欠き部１４ａ・１４ｂ・１４ｃ・１４ｄ・１４ｅ・１４ｆも、線対称形状でも点対称形状でもなく、全て異なる形状となっている。
【００２４】
図７（ａ）〜（ｅ）及び図８はアタッチメント本体２１を示すものである。
アタッチメント本体２１の上部外周の下面に、前記ロックピン１９が挿入される一対のロックピン挿入穴２８・２９が形成されている。この一対のロックピン挿入穴２８・２９の位置は中心角が９０度に設計されている。
【００２５】
アタッチメント本体２１の下部内周には、図８に示すように、形状を異にする六個のガイド爪２３ａ・２３ｂ・２３ｃ・２３ｄ・２３ｅ・２３ｆが断続的に形成されて、その間に形状を異にする六個の切り欠き部２４ａ・２４ｂ・２４ｃ・２４ｄ・２４ｅ・２４ｆが断続的に形成されている。
【００２６】
ここで、六個のガイド爪２３ａ・２３ｂ・２３ｃ・２３ｄ・２３ｅ・２３ｆは、カメラ筐体１の六個の切り欠き部１４ａ・１４ｂ・１４ｃ・１４ｄ・１４ｅ・１４ｆにその順で各々対応する形状にそれぞれ形成されている。
そして、その間の六個の切り欠き部２４ａ・２４ｂ・２４ｃ・２４ｄ・２４ｅ・２４ｆは、カメラ筐体１の六個のガイド爪１３ａ・１３ｂ・１３ｃ・１３ｄ・１３ｅ・１３ｆにその順で各々対応する形状にそれぞれ形成されている。
【００２７】
従って、カメラ筐体１に対しアタッチメント２は、ガイド爪１３ａ・１３ｂ・１３ｃ・１３ｄ・１３ｅ・１３ｆが切り欠き部２４ａ・２４ｂ・２４ｃ・２４ｄ・２４ｅ・２４ｆの位置にそれぞれ一致して、切り欠き部１４ａ・１４ｂ・１４ｃ・１４ｄ・１４ｅ・１４ｆがガイド爪２３ａ・２３ｂ・２３ｃ・２３ｄ・２３ｅ・２３ｆにそれぞれ一致した位置のみにおいて着脱可能で、その位置以外では着脱不能となっている。
すなわち、カメラ筐体１とアタッチメント２の着脱位置は、図４（ｄ）に示すように、カメラ筐体１の位置目印１５にアタッチメント２の着脱位置目印２５を一致させた状態のみである。
【００２８】
そして、着脱位置から図４（ａ）に示すように、カメラ筐体１の位置目印１５をアタッチメント本体２１の第１の回転角度位置目印２６に合わせると、アタッチメント本体２１の上部外周の下面に設けた一方のロックピン挿入穴２８に、カメラ筐体１の大径円盤状部１０上面から突出してロックピン１９が挿入され、その位置でロック状態となる。
【００２９】
図３（ａ）から（ｂ）に示すように、大径円盤状部１０外周面のロックレバー１９ａを押し下げて、ロックピン１９によるロックを解除することで、図４（ｂ）に示すように、アタッチメント２に対してカメラ筐体１を右方向へ９０度回転する。
これにより、図４（ｃ）に示すように、位置目印１５が第２の回転角度位置目印２７に一致した状態で、他方のロックピン挿入穴２８にロックピン１９が挿入されてロック状態に固定させることができる。
【００３０】
また、同様にロックを解除し、図４（ａ）から（ｄ）に示すように、カメラ筐体１を逆に左方向へ１５度回転させて、位置目印１５が着脱位置目印２５に一致した状態において、図１に示すように、カメラ筐体１とアタッチメント２を分離させることができる。
【００３１】
以上のように、カメラ筐体１とアタッチメント２の９０度回転により、カメラ本体１を適当な場所に置いた状態（若しくは三脚に設置した状態）で撮影する際でも「縦長撮り」・「横長取り」等、アスペクトの切換に対応できる。
【００３２】
これに加えて、アタッチメント２がヒンジ結合部２２によるチルト機構付のスタンドとして機能する金属板２０を有しているので、そのチルト機構によるカメラ本体１の置き撮りでのアングル変更と、カメラ筐体１とアタッチメント２の９０度回転により、自由なアングル変更と、そのアングル決定後のアスペクトの切換が容易に実行できる。
【００３３】
また、図１に示すように、カメラ筐体１は、その外形を大径円盤状部１０及び小径円盤状部１１による段付円盤状にすることで、その段差部分にアタッチメント２との着脱機構を設けるスペースを確保している。
これにより、製品の総厚み・最外形を増やすことなく、着脱機構を追加することを実現している。
【００３４】
以上、実施形態のカメラ筐体１とアタッチメント２によれば、カメラ筐体１のガイド爪１３とアタッチメント２のガイド爪２３を噛み合わせて回転可能とし、そのガイド爪１３・２３に、カメラ筐体１外周部に対するアタッチメント２の着脱位置で互いの噛み合いを解除する切り欠き部１４・２４をそれぞれ設けたことで、カメラ筐体１とそのアタッチメント２の確実な装着と容易な着脱とを両立させることができる。
【００３５】
そして、カメラ筐体１に対し、アタッチメント２を着脱位置目印１５・２５から回転させて第１の回転角度位置目印２６に規制するロックピン１９及びロックピン挿入穴２８を設け、さらに、その第１の回転角度位置目印２６からアタッチメント２を回転させて第２の回転角度位置目印２７に規制するロックピン挿入穴２９を設けたことで、カメラ本体１を適当な場所に置いた状態（若しくは三脚に設置した状態）で撮影する際でも「縦長撮り」・「横長取り」等、アスペクトの切換に対応できる。
【００３６】
（変形例）
図９は変形例のアタッチメント本体２１を示すものである。
ここで、カメラ筐体１とアタッチメント２の回転角度位置について、実施形態ではアスペクトの切換のみだが、変形例では、中心角９０度に設計された一対のロックピン挿入穴２８・２９の間に、図示のように、複数（図示では六個）のロックピン挿入穴３０・３０・・・を形成する。
【００３７】
このように、中心角９０度に設計された一対のロックピン挿入穴２８・２９に加えて、その間に複数のロックピン用穴３０・３０・・・を増やすことで、カメラ筐体１とアタッチメント２の回転角度位置をより細かくすることができる。
【００３８】
（他の変形例）
以上の実施形態においては、カメラの筐体としたが、本発明はこれに限定されるものではなく、携帯電話やウェアラブル情報端末など他の電子機器の筐体であってもよい。
また、カバー部材も実施形態のスタンド付きのアタッチメントに限らず任意である。
さらに、ガイド部も実施形態の爪状に限らず任意であり、切り欠き部の形状も実施形態の形状に限らず任意である。
また、ガイド部及び切り欠き部の個数も任意であり、その他、具体的な細部構造等についても適宜に変更可能であることは勿論である。
【００３９】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
筐体と、その筐体外周部に対し着脱可能で円周方向に回転可能に装着されるカバー部材とからなり、
前記筐体に、その円周方向に沿って第１のガイド部を設け、
前記カバー部材に、前記筐体外周部に装着状態で前記第１のガイド部と噛み合って回転をガイドされる第２のガイド部を設け、
前記第１及び第２の両ガイド部に、前記筐体外周部に対する前記カバー部材の着脱位置で互いの噛み合いを解除するための切り欠き部をそれぞれ設けたことを特徴とする筐体とカバー部材の装着構造。
＜請求項２＞
前記カバー部材を前記筐体外周部に対し前記着脱位置から回転させて第１の回転角度位置に規制するための第１の固定部を設けたことを特徴とする請求項１に記載の筐体とカバー部材の装着構造。
＜請求項３＞
前記カバー部材を前記筐体外周部に対し前記第１の回転角度位置から回転させて第２の回転角度位置に規制するための第２の固定部を設けたことを特徴とする請求項２に記載の筐体とカバー部材の装着構造。
＜請求項４＞
前記第１の回転角度位置から前記着脱位置に回転させる場合の回転方向と、前記第１の回転角度位置から前記第２の回転角度位置に回転させる場合の回転方向とが逆方向であることを特徴とする請求項３に記載の筐体とカバー部材の装着構造。
＜請求項５＞
前記第１または第２の固定部は、前記筐体に設けられた突出可能な棒状部材と、前記カバー部材に設けられ、前記棒状部材が挿入される穴とからなることを特徴とする請求項２または３に記載の筐体とカバー部材の装着構造。
＜請求項６＞
外周部に対しカバー部材が着脱可能で、円周方向に沿って設けた第１のガイド部を有し、前記外周部に装着状態の前記カバー部材が、当該カバー部材に設けられる第２のガイド部を前記第１のガイド部に噛み合わせて回転可能とされる筐体であって、
前記第１のガイド部に、前記外周部に対する前記カバー部材の着脱位置で前記第２のガイド部との噛み合いを解除するための切り欠き部を設けたことを特徴とする筐体。
＜請求項７＞
前記カバー部材を前記外周部に対し前記着脱位置から回転させて第１の回転角度位置に規制するための第１の固定部を設けたことを特徴とする請求項６に記載の筐体
＜請求項８＞
前記カバー部材を前記外周部に対し前記第１の回転角度位置から回転させて第２の回転角度位置に規制するための第２の固定部を設けたことを特徴とする請求項７に記載の筐体。
＜請求項９＞
前記第１の回転角度位置と前記第２の回転角度位置とは直交する角度関係にあることを特徴とする請求項８に記載の筐体。
＜請求項１０＞
前記第１または第２の固定部は、前記カバー部材に設けられた穴に挿入する突出可能な棒状部材であることを特徴とする請求項７または８に記載の筐体。
＜請求項１１＞
前記外周部に装着状態で前記カバー部材が回転する回転中心部に光学レンズが備えられることを特徴とする請求項６から１０のいずれか一項に記載の筐体。
＜請求項１２＞
筐体の外周部に対し着脱可能で、前記筐体の円周方向に沿って設けられる第１のガイドと噛み合って前記筐体外周部に装着状態で円周方向の回転をガイドされる第２のガイド部を有するカバー部材であって、
前記第２のガイド部に、前記筐体外周部に対する着脱位置で前記第１のガイド部との噛み合いを解除するための切り欠き部を設けたことを特徴とするカバー部材。
＜請求項１３＞
前記筐体外周部に対し前記着脱位置から回転させて第１の回転角度位置に規制するための第１の固定部を設けたことを特徴とする請求項１２に記載のカバー部材。
＜請求項１４＞
前記筐体外周部に対し前記第１の回転角度位置から回転させて第２の回転角度位置に規制するための第２の固定部を設けたことを特徴とする請求項１３に記載のカバー部材。
＜請求項１５＞
前記第１または第２の固定部は、前記筐体に設けられた突出可能な棒状部材が挿入可能な穴であることを特徴とする請求項１３または１４に記載のカバー部材。
＜請求項１６＞
折り畳み可能な折り畳み部材が備えられることを特徴とする請求項１２から１５のいずれか一項に記載のカバー部材。
【符号の説明】
【００４０】
１  筐体
１Ａ  上筐体
１Ｆ  フランジ
１０  大径円盤状部
１１  小径円盤状部
１２  撮影レンズ
１３  第１のガイド部
１４  切り欠き部
１５  位置目印
１６  マイク孔
１７  ＬＥＤ
１８  プロテクタ
１９  棒状部材（固定部）
２  カバー部材
２０  折り畳み部材
２１  カバー本体
２２  ヒンジ結合部
２３  第２のガイド部
２４  切り欠き部
２５  着脱位置目印
２６  第１の回転角度位置目印
２７  第２の回転角度位置目印
２８  穴（固定部）
２９  穴（固定部）
３０  穴（固定部）
【図１】
0006399643.tif 000002
【図２】
0006399643.tif 000003
【図３】
0006399643.tif 000004
【図４】
0006399643.tif 000005
【図５】
0006399643.tif 000006
【図６】
0006399643.tif 000007
【図７】
0006399643.tif 000008
【図８】
0006399643.tif 000009
【図９】
0006399643.tif 000010